(57)【特許請求の範囲】
【請求項１】
携帯端末からの要請により該携帯端末に対して端末ＩＤを配布し、該携帯端末との間で当該端末ＩＤをもとにした個別の通信路を確立して該携帯端末を有線公衆網と接続可能にする固定無線サービスを行う複数の固定無線サービスステーションと、
無線公衆網を利用した発信・着信及び通話を実現する手段、前記固定無線サービスステーションとの間で端末ＩＤをもとにした個別の無線通信を実現する手段、及び無線公衆網のサービス圏から外れた場合に最寄りの前記固定無線サービスステーションに対し個別の無線通信を実現するための端末ＩＤの配布を要請し、自身の無線公衆網用の電話番号への電話を当該最寄りの固定無線サービスステーションの持つ有線公衆網用の電話番号に転送設定を行い、当該最寄りの固定無線サービスステーションの固定無線サービスを介して発信・着信及び通話を実現する手段を備える携帯端末と
を含むことを特徴とする電話転送システム。
【請求項２】
無線公衆網を利用した発信・着信及び通話を実現する手段と、
無線公衆網サービス圏から外れた場合、無線中継によって携帯端末を有線公衆網と接続可能にする固定無線サービスステーションの有線公衆網用電話番号を自身の無線公衆網用電話番号への電話の転送先として設定する手段と、
前記固定無線サービスステーションに端末ＩＤの発行を要請する手段と、
前記固定無線サービスステーションから当該要請に基づき配布された端末ＩＤによって当該固定無線サービスステーションとの間で個別の無線通信を行う手段と
を含むことを特徴とする携帯端末。
【請求項３】
無線公衆網サービス圏内か、有線公衆網に接続された固定無線サービスステーションが提供する固定無線サービス圏内かを識別する通信選択処理部と、
無線公衆網サービス圏内において無線公衆網を利用した発信・着信及び通話を実現する無線公衆網用通信処理部と、
前記固定無線サービスステーションと通信し、当該固定無線サービスステーションが提供する固定無線サービスを受けるために必要な端末ＩＤを取得し設定する固定無線端末ＩＤ設定処理部と、
無線公衆網サービスに自身の無線公衆網用電話番号への電話の転送先として前記固定無線サービスステーションの有線公衆網用の電話番号を指定して転送設定を行い、前記固定無線端末ＩＤ設定処理部によって設定された端末ＩＤをもとに前記固定無線サービスステーションが提供する固定無線サービスを利用することにより、前記固定無線サービスステーション及び有線公衆網を経由して発信・着信及び通話を実現する固定無線網用通信処理部と
を含むことを特徴とする携帯端末。
【請求項４】
自身の提供する固定無線サービスを受ける携帯端末の転送設定の転送先に利用される有線公衆網用の電話番号を持ち、携帯端末に配布した端末ＩＤによって当該携帯端末との間に個別の無線通信路を確立し、前記有線公衆網と前記携帯端末との間の無線中継を行う固定無線サービスステーションであって、
固定無線サービスを受けるための端末ＩＤを要請する携帯端末に端末ＩＤを配布するかどうかを決める端末選定処理部と、
端末ＩＤとその端末ＩＤを配布した携帯端末の無線公衆網用電話番号とを関連付けて格納する端末ＩＤデータベースと、
前記端末ＩＤデータベースを用いて自身の提供する固定無線サービス圏にある携帯端末の管理を行う端末管理部と、
携帯端末の発信・着信及び通話について有線公衆網との中継を行う有線公衆網・固定無線通信処理部と
を含むことを特徴とする固定無線サービスステーション。
【発明の詳細な説明】
【０００１】
【発明の属する技術分野】
本発明は、携帯電話やＰＨＳのような無線公衆網を利用する携帯端末の電話転送システム並びにそのシステムを実現するための携帯端末及び固定無線サービスステーションに関する。
【０００２】
【従来の技術】
従来の携帯電話の転送電話サービスを提供するシステムでは、利用者が転送先の電話番号を設定することによって転送サービスを開始する。特開平９−３２６８６５号公報では、ＰＨＳ端末と自宅の電話の子機機能を併せ持つ携帯端末が、自宅のサービスエリアから出た場合、自宅の電話をＰＨＳ端末機に転送する設定を自動的に行う。さらに、内線における電話転送方法については、特開平１１−６８９６３号公報に、利用者が現在いる場所を感知し特定することによって、その場所の電話に転送する設定を自動的に行う方法が示されている。
【０００３】
【発明が解決しようとする課題】
しかし、上記の従来の方法では、自動転送設定機能を用いれば自動的に転送設定はできるが、予め転送先を登録する必要がある。またその場合、登録の数や条件が限定されてしまう。特開平６−７００３６号公報では、端末の場所を探知して、最寄りの固定内線電話に転送する方法を提供しているが、この場合、端末を子機として利用することが出来ず、通話時は固定電話の受話器を利用しなければならない。
【０００４】
本発明は、このような従来技術の問題点に鑑み、無線公衆網に用いることのできる携帯端末が無線公衆網サービスから外れた場合、自動的に最寄りの無線サービスを行う固定電話に転送設定を行い、なおかつ、転送した通話を携帯端末自身で行えるような携帯電話転送システムを提供することを目的とする。また、本発明は、その電話転送システムを実現するための携帯端末及び固定無線サービスステーションに関する。
【０００５】
【課題を解決するための手段】
上記の目的を達成するために、転送された電話の通信路として独自の無線通信路を導入した。また、その無線通信路により転送された電話を携帯端末に接続するために、有線公衆網とつながり、有線公衆網用の電話番号を持ち独自の無線サービスを行う固定無線サービスステーションと、独自の無線通信及び無線公衆網に対応する固定無線サービス対応携帯端末を導入した。これにより、転送先になる有線公衆網用の電話番号と、端末への通信路を用意できる。
【０００６】
また、固定無線サービスステーション・端末間の独自の無線通信路では、端末に端末ＩＤを持たせ、その端末ＩＤをもとに、個々の端末と固定無線サービスステーションの間に個別の通信路を確立することとした。これは、固定無線サービスステーションと通信できる複数の端末があったとしても、電話における着信・発信及び通話が、特定の端末以外ではできないようにするためである。これにより、転送された電話は、正しい端末のみで着信及び通話ができる。以下では、この独自の無線通信路を固定無線と称する。
【０００７】
すなわち、本発明による電話転送システムは、携帯端末からの要請により携帯端末に対して端末ＩＤを配布し、携帯端末との間で当該端末ＩＤをもとにした個別の通信路を確立して携帯端末を有線公衆網と接続可能にする固定無線サービスを行う複数の固定無線サービスステーションと、無線公衆網を利用した発信・着信及び通話を実現する手段、固定無線サービスステーションとの間で端末ＩＤをもとにした個別の無線通信を実現する手段、及び無線公衆網のサービス圏から外れた場合に最寄りの固定無線サービスステーションに対し個別の無線通信を実現するための端末ＩＤの配布を要請し、自身の無線公衆網用の電話番号への電話を当該最寄りの固定無線サービスステーションの持つ有線公衆網用の電話番号に転送設定を行い、当該最寄りの固定無線サービスステーションの固定無線サービスを介して発信・着信及び通話を実現する手段を備える携帯端末とを含むことを特徴とする。
【０００９】
本発明による携帯端末は、無線公衆網を利用した発信・着信及び通話を実現する手段と、無線公衆網サービス圏から外れた場合、無線中継によって携帯端末を有線公衆網と接続可能にする固定無線サービスステーションの有線公衆網用電話番号を自身の無線公衆網用電話番号への電話の転送先として設定する手段と、固定無線サービスステーションに端末ＩＤの発行を要請する手段と、固定無線サービスステーションから当該要請に基づき配布された端末ＩＤによって当該固定無線サービスステーションとの間で個別の無線通信を行う手段とを含むことを特徴とする。
【００１０】
本発明による携帯端末は、また、無線公衆網サービス圏内か、有線公衆網に接続された固定無線サービスステーションが提供する固定無線サービス圏内かを識別する通信選択処理部と、無線公衆網サービス圏内において無線公衆網を利用した発信・着信及び通話を実現する無線公衆網用通信処理部と、固定無線サービスステーションと通信し、当該固定無線サービスステーションが提供する固定無線サービスを受けるために必要な端末ＩＤを取得し設定する固定無線端末ＩＤ設定処理部と、無線公衆網サービスに自身の無線公衆網用電話番号への電話の転送先として固定無線サービスステーションの有線公衆網用の電話番号を指定して転送設定を行い、固定無線端末ＩＤ設定処理部によって設定された端末ＩＤをもとに固定無線サービスステーションが提供する固定無線サービスを利用することにより、固定無線サービスステーション及び有線公衆網を経由して発信・着信及び通話を実現する固定無線網用通信処理部とを含むことを特徴とする。
【００１１】
本発明による固定無線サービスステーションは、自身の提供する固定無線サービスを受ける携帯端末の転送設定の転送先に利用される有線公衆網用の電話番号を持ち、携帯端末に配布した端末ＩＤによって当該携帯端末との間に個別の無線通信路を確立し、有線公衆網と携帯端末との間の無線中継を行う固定無線サービスステーションであって、固定無線サービスを受けるための端末ＩＤを要請する携帯端末に端末ＩＤを配布するかどうかを決める端末選定処理部と、端末ＩＤとその端末ＩＤを配布した携帯端末の無線公衆網用電話番号とを関連付けて格納する端末ＩＤデータベースと、端末ＩＤデータベースを用いて自身の提供する固定無線サービス圏にある携帯端末の管理を行う端末管理部と、携帯端末の発信・着信及び通話について有線公衆網との中継を行う有線公衆網・固定無線通信処理部とを含むことを特徴とする。
【００１２】
固定無線サービスステーションにおける端末選定処理では、サービスを利用できる端末を限定することや、無制限に利用させるようにすることができる。そのため、固定無線サービスステーションの設置者が、目的に合わせてサービスを行うことができる。
【００１３】
【発明の実施の形態】
以下、図面を参照して本発明の実施の形態を説明する。
図１に、本発明による電話転送システムの全体像を示す。このシステムは、ある携帯電話等の携帯端末で、それまで利用可能であったサービスが、携帯端末の移動によってサービス圏外となって利用できなくなった際に、転送設定や転送設定解除を行うことで、着信及び通話を可能にするものである。図１を用いて簡単に説明する。図１の１０１は無線公衆網サービスを携帯端末が受けられる範囲を示し、１０２は固定無線サービスを携帯端末が受けられる範囲を示す。固定無線サービス圏１０２は、有線公衆網に接続された固定無線サービスステーション（以下、単にサービスステーションという）１１０によって提供される。この場合、携帯端末１０３の位置に代表される無線公衆網サービスのみ受けられる領域（以下、領域１０３と記す）、携帯端末１０４の位置に代表される固定無線サービスのみ受けられる領域（以下、領域１０４と記す）、携帯端末１０５の位置に代表される両方のサービスが受けられる領域（以下、領域１０５と記す）の３種の領域に分けられる。携帯端末がこれらの領域間を移動する際の動作を簡単に述べる。
【００１４】
まず、携帯端末が領域１０３から領域１０４に移動する場合を説明する。携帯端末が領域１０３に存在する間は、携帯端末は無線公衆網サービスを受けている。また、この携帯端末が領域１０５に移動した場合、携帯端末は、まだ無線公衆網サービスを受けられるため、携帯端末は無線公衆網サービスを受ける。さらに携帯端末が、領域１０５から領域１０４に移動した場合は、無線公衆網サービスが利用できないため、携帯端末は、この領域１０４で利用できる固定無線サービスを利用するための設定を行う。
【００１５】
次に、領域１０４から領域１０３に携帯端末が移動する場合を説明する。携帯端末が領域１０４にある間は、携帯端末は固定無線サービスを受けている。また、この携帯端末が領域１０５に移動した場合、携帯端末は、まだ固定無線サービスが利用できるため、固定無線サービスを利用する。さらに携帯端末が、領域１０５から領域１０３に移動した場合、携帯端末は、固定無線サービスが利用できなくなるため、この領域１０３で利用できる無線公衆網サービスを利用できるように設定を変更する。上記のように、本システムでは、携帯端末の移動によって、受けられるサービスの状況が変った場合でも、移動前に受けていたサービスが利用可能であれば、携帯端末はそのサービスを引き続き利用する。なお、図１では、説明を簡単にするため固定無線サービスステーションを１つのみ図示したが、それぞれ独自の固定無線サービス圏を提供する複数の固定無線サービスステーションを存在させることができる。
【００１６】
図２に、本発明による電話転送システムの概略構成を示す。無線公衆網サービスのサービスステーションについては図示を省略する。固定無線サービス対応端末１２０（以下、単に端末という）は、無線公衆網サービス圏内では無線公衆網を利用し、無線公衆網サービス圏外では最寄りの固定無線サービスを探索し、固定無線サービスが存在すれば、それを利用して電話回線を確保するものである。また、固定無線サービスを利用する際には、無線公衆網用の電話番号に対する着信を受けるために、固定無線サービスに用意された有線公衆網用電話番号に転送設定を行う。
【００１７】
端末１２０は、通信路選択処理部１２１、無線公衆網用通信処理部１２２、固定無線用通信処理部１２３、固定無線用端末ＩＤ設定処理部１２４を含んで構成される。通信路選択処理部１２１は、現在受けられるサービスを識別し、転送設定や転送設定の解除を行う部分である。無線公衆網通信処理部１２２は、従来の携帯電話やＰＨＳと同様に、無線公衆網サービス圏内において、無線公衆網を利用した発信・着信及び通話を実現する部分である。固定無線用通信処理部１２３は、サービスステーション１１０から配布された端末ＩＤで固定無線サービスを利用することにより、サービスステーション１１０及び有線公衆網１３０を通して、発信・着信及び通話を実現する部分である。固定無線用端末ＩＤ設定処理部１２４は、サービスステーション１１０と通信し、固定無線サービスを受けるために必要な端末ＩＤを取得し、転送設定を行う部分である。
【００１８】
サービスステーション１１０は、有線公衆網に接続し、有線公衆網と固定無線サービスを受ける端末との間の中継を行うものである。また、サービスステーション１１０は、固定無線サービスを受ける端末の転送設定の転送先に利用される固定有線公衆網用の電話番号を持つ。サービスステーション１１０の行う中継では、固定無線サービスを受ける個々の端末に端末ＩＤを配布することによって、サービスステーションと各端末１２０との間に個別の無線通信路を提供する。
【００１９】
サービスステーション１１０は、端末管理部１１１、端末選定処理部１１２、端末ＩＤデータベース１１３、有線公衆網・固定無線通信処理部１１４を含んで構成される。端末管理部１１１は、端末ＩＤデータベース１１３及び端末選定処理部１１２を用いて、固定無線サービス圏にある端末の管理を行う。端末選定処理部１１２は、固定無線サービスを受けるための端末ＩＤを要請する端末に、端末ＩＤを配布するかどうかを決める部分である。端末ＩＤデータベース１１３は、端末ＩＤを配布した端末の、端末ＩＤとその端末の無線公衆網用電話番号のデータベースである。有線公衆網・固定無線通信処理部１１４は、端末の発信・着信及び通話について、有線公衆網１３０との中継を行う部分である。
【００２０】
図３に、端末ＩＤデータベース１１３の構造を示す。端末ＩＤデータベース１１３は、図３に示すように、固定無線サービスを受ける端末の端末ＩＤ２０２と端末の持つ無線公衆網用電話番号２０１を対にする形で、端末の情報を持つ。
【００２１】
ここで、具体的な例を用いて処理の概略を説明する。固定無線サービスを行うサービスステーションＸと、既に固定無線サービスを受けている端末Ｂ，Ｃが存在するとする。ここで、サービスステーションＸは有線公衆網用電話番号０３−３ＸＸＸ−ＸＸＸＸを持つとする。また、端末Ｂは、無線公衆網用電話番号である０９０−ＢＢＢ−ＢＢＢＢ、端末Ｃは同様に無線公衆網用電話番号０９０−ＣＣＣ−ＣＣＣＣを持つとする。さらに、固定無線サービスを受けるための端末ＩＤとして、端末ＢにはＸ００１、端末ＣにはＸ００２が割り当てられたとする。図４は、このときのサービスステーション１１０上の端末ＩＤデータベース１１３の内容を示している。
【００２２】
図５に、無線公衆網用電話番号０９０−ＤＤＤ−ＤＤＤＤを持つ端末Ｄが、無線公衆網サービス圏を外れて、固定無線サービス圏内に入ってきた場合の処理のフローを示す。
まず端末Ｄが、無線公衆網サービス圏から外れ、固定無線サービス圏内に移動する（Ｓ５０１）。端末Ｄの通信路選択処理部１２１は、無線公衆網サービスが受けられなくなり、代わりに固定無線サービスが存在することを認識する（Ｓ５０２）。端末Ｄの固定無線用端末ＩＤ設定処理部１２４はユーザに対し、固定無線サービスを用いるかどうかを尋ねる。ユーザが固定無線サービスを用いることに同意すると（Ｓ５０３）、端末Ｄ内の固定無線用端末ＩＤ設定処理部１２４が、サービスステーションＸ内の端末管理部１１１に端末ＩＤの取得要請を送る（Ｓ５０４）。この要請には端末Ｄの無線公衆網用電話番号０９０−ＤＤＤ−ＤＤＤＤが含まれる。
【００２３】
サービスステーションＸの端末管理部１１１は、端末Ｄから送られてきた要請を端末選定処理部１１２に送る。ここでは、受け入れる端末として端末Ｄが端末選定処理部１１２にあらかじめ登録してあるものとする。端末選定処理部１１２は、端末Ｄに割り当てるべき端末ＩＤを発行する（Ｓ５０５）。ここでは、Ｘ００３というＩＤが発行されたものとする。次に、端末管理部１１１は、発行された端末ＩＤと端末Ｄの無線公衆網用電話番号を端末ＩＤデータベース１１３に登録する。この結果、端末ＩＤデータベース内のデータは図６のようになる。また、この端末ＩＤデータベース１１３の更新が終わった後に、端末管理部１１１は、端末Ｄの固定無線用端末ＩＤ設定処理部１２４に対し、Ｘ００３という端末ＩＤを渡す（Ｓ５０６）。
【００２４】
端末Ｄの固定無線用端末ＩＤ設定処理部１２４は、サービスステーションＸから受け取ったＸ００３という端末ＩＤを、固定無線用通信処理部１２３に設定する（Ｓ５０７）。端末ＩＤが設定された直後に、端末Ｄの固定無線用通信処理部１２３は、設定された端末ＩＤを用いて、サービスステーションＸ及び有線公衆網１３０を通して、転送設定を行う。この転送設定では、端末Ｄの無線公衆網用電話番号への電話の転送先として、サービスステーションＸの有線公衆網用の電話番号である０３−３ＸＸＸ−ＸＸＸＸを設定する（Ｓ５０８）。
【００２５】
以上の処理を行うことにより、端末Ｄは、端末ＩＤを用いてサービスステーションＸを中継することによって、有線公衆網１３０と接続される。また、端末Ｄの無線公衆網用電話番号にかけられた電話を、サービスステーションＸの持つ有線公衆網用の電話番号に転送する設定が完了する。なお、図５に示したフローチャートのステップ５０３の処理を省略し、固定無線サービスを利用可能な場合にはユーザの指示を待つことなくステップ５０２からステップ５０４の処理に自動的に進むようにすることも可能である。
【００２６】
図７に、図５で説明した転送設定が完了した後に端末Ｄの無線公衆網用の電話番号に電話がかかってきた場合の処理のフローを示す。
まず、端末Ｄの無線公衆網用電話番号にかかってきた電話が、先の転送設定により、サービスステーションＸに転送されてくる（Ｓ7０１）。サービスステーションＸの有線公衆網・固定無線通信処理部１１４は、着信した電話の発信者番号を確認する（Ｓ7０２）。発信者番号については後で説明するが、ここでは転送設定を行った電話番号が発信者番号として伝えられるものとする。つまり転送を設定した端末Ｄの無線公衆網用の電話番号である０９０−ＤＤＤ−ＤＤＤＤが発信者番号として通知される。
【００２７】
有線公衆網・固定無線通信処理部１１４は、端末ＩＤデータベース１１３を用いて、０９０−ＤＤＤ−ＤＤＤＤという電話番号から、Ｘ００３という端末ＩＤを得る（Ｓ７０３）。そして、その端末ＩＤを用いて端末Ｄの固定無線用通信処理部１２３との無線通信路を確立し（Ｓ７０４）、着信を端末Ｄに伝える（Ｓ７０５）。着信後の通話も、この通信路を用いる。以上の処理で、転送された電話を、転送を設定した端末自身に受けさせることが出来る。
【００２８】
図８に、端末Ｃが固定無線サービス圏から外れた際の処理のフローを示す。
まず、端末ＣがサービスステーションＸの固定無線サービス圏外に移動する（Ｓ８０１）。サービスステーションＸの端末管理部１１１は、端末ＩＤデータベース１１３上の端末が固定無線サービス上に存在するかどうかを常にチェックしている。そのチェックにおいて端末ＩＤＸ００２の端末、つまり端末Ｃに通信が出来ないことを認識する（Ｓ８０２）。端末管理部１１１は端末ＩＤデータベース１１３から端末Ｃの登録を削除する（Ｓ８０３）。この結果の端末ＩＤデータベースを図９に示す。この削除の後に、端末Ｃへの着信がきた場合、端末ＩＤデータベース１１３上に端末Ｃに関するデータが無いため、有線公衆網・固定無線通信処理部１１４は、発信者に対し接続できないことを伝える。
【００２９】
一方、端末Ｃでは、端末Ｃの通信路選択処理部１２１は、サービスステーションＸの固定無線サービス圏から外れたことと、現在受けられるサービスを同時に認識する。そして、端末Ｃは現在受けられるサービスに応じて、そのサービスに対応した処理を行う。つまり、無線公衆網サービス圏内であれば転送設定を解除し、無線公衆網サービスが受けられるように設定する。また、他の固定無線サービス圏内であれば、そのサービスを提供しているサービスステーションと上記と同様の処理を行う。無線公衆網サービス圏及び固定無線サービス圏のどちらにも属していない場合は、端末ＩＤを無効にする。以上の処理で、端末が固定無線サービス圏外に出た場合の対処を行うことができる。
【００３０】
ここで、図２に示した構成の中で端末を構成する各処理の詳細を説明する。
通信路選択処理部１２１の処理の詳細フローを図１０に示す。まず無線公衆網サービス圏内かどうかを確認する（Ｓ１００１）。ここで、無線公衆サービス圏である場合は、次に固定無線サービスステーション１１０が提供する固定無線サービスを受けるための端末ＩＤを、持っているかどうかを確認する（Ｓ１００２）。ここで、端末ＩＤは固定無線サービスステーションの固定無線サービスを受けるための識別子であり、端末ＩＤを持っているということは、転送設定済みであるという意味である。ステップ１００２において、端末ＩＤを持っていなかったら何もせずに終了する。またステップ１００２において、端末ＩＤを持っていた場合は、無線公衆網サービスを利用して転送設定を解除し、端末ＩＤを削除する（Ｓ１００３）。以上により、無線公衆網サービス圏内では、そのサービスを受けることとなる。
【００３１】
ステップ１００１において無線公衆網サービス圏外であった場合は、サービスステーション１１０と通信が出来る固定無線サービス圏内かどうかを確認する（Ｓ１００４）。もし、サービス圏外であれば、次に端末ＩＤを持っているかどうかを確認し（Ｓ１００５）、持っていればその端末ＩＤを無効とする（Ｓ１００６）。ステップ１００５で端末ＩＤを持っていなければ何もせずに終了する。
【００３２】
ステップ１００４において、固定無線サービス圏内であった場合は、その固定無線サービスに利用可能な端末ＩＤを持っているかどうかを確認する（Ｓ１００７）。有効な端末ＩＤを持っていない場合は、端末ＩＤをクリアして、固定無線用端末ＩＤ設定処理部に端末ＩＤの要請を行うよう指示する（Ｓ１００８）。ステップ１００７において、有効な端末ＩＤを持っていた場合は、既に固定無線サービスを利用できるため、何もせずに終了する。
【００３３】
通信路選択処理部１２１では、以上の処理を繰り返すことによって、移動によって動的に変化するサービスを的確に認識し、最適なサービスを受けられるように促す。すなわち、無線公衆網サービス圏内では、そのサービスを受けられるようにし、無線公衆網サービス圏外で固定無線サービス圏内である場合には、その固定無線サービスを受けられるようにする処理を行う。
【００３４】
無線公衆網通信処理部１２２は、従来の携帯電話やＰＨＳと同様に、無線公衆網サービス圏内において、無線公衆網を利用した発信・着信及び通話を可能にする。そのための無線公衆網用の電話番号が割り当てられている。固定無線網用通信処理部１２３は、サービスステーション１１０から配布された端末ＩＤを使い、サービスステーション１１０及び有線公衆網１３０を通して、発信・着信及び通話を実現する。また、端末ＩＤが配布された際に、転送設定も行う。
【００３５】
固定無線用端末ＩＤ設定処理部１２４の処理フローを図１１に示す。固定無線用端末ＩＤ設定処理部１２４は、ユーザに固定無線サービスを受けるかどうかを確認する（Ｓ１１０１）。ユーザがサービスを希望しなかった場合は、何もせずに終了する。ステップ１１０１で、ユーザがサービスを受けることを希望した場合、サービスステーションに端末ＩＤを要請する（Ｓ１１０２）。この要請の中には、無線公衆網用の電話番号が含まれる。次に、端末ＩＤを取得できたかを確認する（Ｓ１１０３）。取得できた場合は、固定無線網用通信処理部１２３にその端末ＩＤを設定する（Ｓ１１０４）。ステップ１１０３で端末ＩＤが取得できなかった場合は、何もせずに終了する。以上が、固定無線用端末ＩＤ設定処理部１２４の動作である。
【００３６】
端末ＩＤが設定された直後、固定無線網用通信処理部１２３では、設定された端末ＩＤを用い、サービスステーション１１０とサービスステーションに接続された有線公衆網１３０を通して、転送設定を行う。この転送設定では、端末の無線公衆網用電話番号への電話を、サービスステーション１１０の電話番号に転送する設定を行う。
【００３７】
次に、図２に示した構成の中でサービスステーション１１０を構成する各処理部の詳細を説明する。端末選定処理部１１２は、端末ＩＤの要請に対し、その要請を受けるかどうかを判断し、要請を受ける場合は、配布する端末ＩＤを決定するものである。ここでは、この判断は、要請を行った端末の無線公衆網用の電話番号で行うこととするが、その他の方法として、予め識別符号を端末につけておきその識別記号で判断する方法、あるいは全ての端末を受け入れる方法もある。端末ＩＤデータベース１１３は、固定無線サービス圏内にあり、そのサービスを受ける端末のデータベースである。このデータベースは、端末ＩＤが配布された端末の無線公衆網用の電話番号と端末ＩＤの対というデータで構成される。
【００３８】
端末選定処理部１１２と端末ＩＤデータベース１１３を利用した端末管理部１１１の処理のフローを図１２に示す。端末管理部１１１は、まず端末ＩＤを要請している新たな端末があるかどうかを確認する（Ｓ１２０１）。新たな端末が見つかった場合、その要請を端末選定処理部１１２に渡す（Ｓ１２０２）。ここで、端末選定処理部１１２は、要請に含まれる無線公衆網用の電話番号をもとに、端末ＩＤを配布して良いかどうかを判断し、良い場合は端末ＩＤを、そうでなければ要請拒否を返す。端末管理部１１１は、端末ＩＤが返されたかどうかを確認し（Ｓ１２０３）、端末ＩＤが返された場合は、端末ＩＤの要請に含まれる無線公衆網用の電話番号と、返された端末ＩＤを対にして、端末ＩＤデータベース１１３に格納する（Ｓ１２０４）。そして、その端末ＩＤを端末に送信する（Ｓ１２０５）。ステップ１２０３において、端末ＩＤではなく、要請拒否が返された場合には、端末にその要請拒否を送信する（Ｓ１２０６）。
【００３９】
また、ステップ１２０１において新たな端末が見つからなかった場合は、次に、端末ＩＤデータベース上に登録されている端末の中で、サービス圏外に出てしまったものがあるかを確認する（Ｓ１２０７）。サービス圏外に出た端末があった場合、つまり、端末ＩＤデータベース１１３上にデータがあるにも関わらず、通信できない端末があった場合は、その端末ＩＤを含むデータを端末ＩＤデータベースから削除する（Ｓ１２０８）。ステップ１２０７において、サービス圏内に端末ＩＤデータベース上のすべての端末が存在した場合は、何もせずに終了する。端末管理部１１１は、上記の処理を繰り返し行うことによって、動的に変るサービス圏内の端末を管理する。
【００４０】
有線公衆網・固定無線通信処理部１１４は、端末の発信・着信及び通話について、有線公衆網１３０との中継を行う部分である。端末からの発信及び通話においては、端末ＩＤを用いた端末個別の無線通信路を用意するだけである。着信の場合は、着信すべき端末の端末ＩＤを端末ＩＤデータベース１１３から探す。本説明では、無線公衆網及び転送設定では、発信者番号通知の際に、転送設定した端末自身の無線公衆網用電話番号が通知されるものとし、端末ＩＤデータベースから着信すべき端末を選択する際には、通知された発信者の電話番号を用いることとする。ここで、発信者番号通知機能が、電話をかけた相手自身の電話番号となる場合は、着信すべき端末の無線公衆網用電話番号を、電話をかけた者が伝える手段を追加し、着信すべき端末を選択する。また、着信に対応する端末が端末ＩＤデータベース１１３に存在しなかった場合は、有線公衆網・固定無線通信処理部１１４は、その端末に接続できないことを発信者に伝える。
【００４１】
【発明の効果】
本発明では、有線公衆網につながって無線サービスを行う固定無線サービスステーションと、無線公衆網とサービスステーションの両方のサービスを利用可能な端末を用意することによって、端末が無線公衆網サービス圏から外れた場合でも、固定無線サービス圏内であれば同様に利用できる。特に、固定無線サービス圏内では自動的に転送設定がなされるため、無線公衆網サービス圏内で利用する端末と同じ端末で、転送されてきた電話を受けることが出来る。そのため、転送設定の煩わしさや、転送先の端末（固定電話など）を探す手間が無くなる。また、転送先の端末にかかってきた電話を取り次ぐ必要も無くなる。
【図面の簡単な説明】
【図１】本発明による電話転送システムの全体像を示す図。
【図２】固定無線サービスを用いた携帯電話転送システムの構成図。
【図３】端末ＩＤデータベースの構造を説明する図。
【図４】端末ＩＤデータベースの具体的な例を示す図。
【図５】端末Ｄが固定無線サービス圏に新規に入ったときの処理の概略フロー図。
【図６】固定無線サービスを受ける端末として端末Ｄが追加された際の端末ＩＤデータベースの説明図。
【図７】端末Ｄへの電話が転送されてきたときの処理の概略フロー図。
【図８】端末Ｃが固定無線サービス圏外へ出たときの処理の概略フロー図。
【図９】端末Ｃが固定無線サービス圏から外れたときの端末ＩＤデータベースの説明図。
【図１０】通信選択処理部の処理フロー図。
【図１１】固定無線用端末ＩＤ設定処理部の処理フロー図。
【図１２】端末管理部の処理フロー図。
【符号の説明】
１０１…無線公衆網サービス圏、１０２…固定無線サービス圏、１１０…固定無線サービスステーション、１１１…端末管理部、１１２…端末選定処理部、１１３…端末ＩＤデータベース、１１４…有線公衆網・固定無線通信処理部、１２０…固定無線サービス対応端末、１２１…通信路選択処理部、１２２…無線公衆網用通信処理部、１２３…固定無線網用通信処理部、１２４…固定無線用端末ＩＤ設定処理部、１３０…有線公衆網
【図１】
0003726007.tif 000002
【図２】
0003726007.tif 000003
【図３】
0003726007.tif 000004
【図４】
0003726007.tif 000005
【図５】
0003726007.tif 000006
【図６】
0003726007.tif 000007
【図７】
0003726007.tif 000008
【図８】
0003726007.tif 000009
【図９】
0003726007.tif 000010
【図１０】
0003726007.tif 000011
【図１１】
0003726007.tif 000012
【図１２】
0003726007.tif 000013